(57)【要約】【課題】眼底カメラ本体を回動移動させずに視軸から大きく離れた眼底部位を観察することのできる眼底カメラを提供する。【解決手段】被検眼の眼底を撮影する撮影光学系と、被検眼の視線方向を誘導する外部固視標２０６と、被検者の顎を載せる顎受台５２とを備えた眼底カメラであって、顎受台５２を左右方向に回動移動可能にした。【選択図】図１
2008246140.tif 000002
【特許請求の範囲】
【請求項１】
被検眼の眼底を撮影する撮影光学系と、前記被検眼の視線方向を誘導する外部固視標と、被検者の顎を載せる顎受台とを備えた眼科撮影装置であって、
前記顎受台を前記撮影光学系の光軸に対して左右方向に回動可能にしたことを特徴とする眼科撮影装置。
【請求項２】
前記顎受台を上下方向へ回動可能にしたことを特徴とする請求項１に記載の眼科撮影装置。
【請求項３】
被検者の額に当てる額受部を前記顎受台とともに回動することを特徴とする請求項１または請求項２に記載の眼科撮影装置。
【発明の詳細な説明】
【技術分野】
【０００１】
この発明は、眼底を広範囲に渡って撮影することのできる眼科撮影装置に関する。
【背景技術】
【０００２】
従来から、外部固視標を備えた眼底カメラが知られている（特許文献１参照）。
【０００３】
かかる眼底カメラは、外部固視標の位置を変えることにより、被検眼の視線方向を変え、これによって眼底上の視軸から離れた周辺位置を撮影できるようにしたものである。
【特許文献１】特開２００３−１８０６３５号公報
【発明の開示】
【発明が解決しようとする課題】
【０００４】
しかしながら、このような眼底カメラにあっては、外部固視標によって被検眼の視線方向を大きく変えることができるが、被検者が顔を動かさずに視線方向を大きく変えることは、被検者にとって大きな負荷であるという問題があった。
【０００５】
この発明の目的は、視線方向を大きく変えても、被検者に負荷を与えてしまうことのない眼科撮影装置を提供することにある。
【課題を解決するための手段】
【０００６】
上記目的を達成するため、請求項１の発明は、被検眼の眼底を撮影する撮影光学系と、前記被検眼の視線方向を誘導する外部固視標と、被検者の顎を載せる顎受台とを備えた眼科撮影装置であって、
前記顎受台を前記撮影光学系の光軸に対して左右方向に回動可能にしたことを特徴とする。
【発明の効果】
【０００７】
この発明によれば、顎受台を左方向へ回動移動可能にしたものであるから、外部固視標の位置へ被検者の顔を向けることができ、このため、被検者に負荷を与えずに視軸から大きく離れた眼底部位を撮影することができる。
【発明を実施するための最良の形態】
【０００８】
以下、この発明の眼科撮影装置の１つである眼底カメラの実施形態である実施例を図面に基づいて説明する。
【実施例】
【０００９】
図１に示す眼底カメラは、基台１０に取り付けられた眼底カメラ本体１１を有し、この眼底カメラ本体１１は基台１０とともにジョイスティック１２の操作によりベース台１３に対して前後左右方向に移動可能となっている。１５はジョイスティック１２に設けた撮影スイッチである。
【００１０】
基台１０の上面には操作部２０が設けられており、この操作部２０には、各種の撮影モードや撮影位置等を設定する設定スイッチや各種のスイッチ等が設けられている。
【００１１】
眼底カメラ本体１１には、ディスプレイ８等が設けられており、またＴＶカメラ６が着脱自在に取り付けられている。
【００１２】
ベース台１３の前部には、支柱３１が上下移動可能に取り付けられている。この支柱３１はジョイスティック１２を回動操作することにより上下動するようになっている。
【００１３】
支柱３１の上部には顎受装置４０が設けられており、この顎受装置４０は、図２に示すように基盤４１と、この基盤４１の上に載置されるとともに左右方向（図１の矢印Ｑ１方向）に回動移動する移動台５０と、この移動台５０の上に設けられた顎受台５２とを有している。
【００１４】
基盤４１には一対の支持部材２００が立設され、この支持部材２００,２００の上部に一体に横架部材２０１が形成され、この横架部材２０１に自在継手２０２を介して第１アーム２０３が取り付けられており、この第１アーム２０３の先端部に第２アーム２０４が自在継手２０５を介して接続されている。第２アーム２０４の先端部には発光ダイオードなどからなる外部固視標２０６が設けられており、この外部固視標２０６は３次元方向の任意の位置へ位置させることができるようになっている。
【００１５】
基盤４１内には、図３に示すように、円弧状のガイドレール４２と、このガイドレール４２に沿って左右に移動する移動ブロック４３と、回転自在に保持されたスクリュー軸４４と、このスクリュー軸４４の回転によって左右方向へ移動するアーム４５と、スクリュー軸４４を回転させるモータ４６等とが設けられている。
【００１６】
ガイドレール４２は、被検者の首部の位置に曲率中心Ｐが位置するように円弧状に形成されており、ガイドレール４２の両端部は基盤４１の底部４１Ａに設けた支持部材４２Ａに支持されている。
【００１７】
移動ブロック４３は移動台５０の底部５０Ａ（図２参照）に固定されるとともに、一側面（後面）４３Ａに湾曲した凹部４３ｂが形成され、この凹部４３ｂにアーム４５の先端部４５Ａが係合している。そして、アーム４５の左右方向の移動により移動ブロック４３がガイドレール４２に沿って移動し、移動ブロック４３とともに移動台５０が曲率中心Ｐを中心にして左右方向に回動移動するようになっている。
【００１８】
スクリュー軸４４の両端部は軸受部４４Ａにより回転自在に保持されており、軸受部４４Ａは基盤４１の底部４１Ａに設けられている。また、スクリュー軸４４の一端側（図３において右側）にはギア４４Ｇが固定され、このギア４４Ｇにはモータ４６の駆動軸４６ａに装着した駆動ギア４６Ｇが噛合しており、モータ４６の回転によってスクリュー軸４４が回転していくようになっている。
【００１９】
移動台５０には、図２に示すように、後部（図２において右側）に保持部材５３が設けられており、この保持部材５３に軸５４が取り付けられている。この軸５４には顎受台５２が回動自在に取り付けられている。
【００２０】
また、移動台５０には、前側に上下動するロッド５５と、このロッド５５を上下動させるモータ５６とが設けられており、このロッド５５の上下動によって顎受台５２が軸５４を中心にして上下方向（矢印Ｑ２方向）に回動するようになっている。
【００２１】
顎受台５２の両側には、図１に示すように支柱５７,５７が設けられており、この支柱５７,５７の上部には額受部５８が設けられている。
【００２２】
顎受台５２は、移動台５０と一体となって曲率中心Ｐを通る垂直軸線ＰＪ（図２参照）を中心にして左右方向に回動移動するようになっている。
【００２３】
眼底カメラ本体１１内には、図４に示すように、被検眼Ｅの眼底Ｅrを照明する照明光学系１００と、照明された眼底を観察・撮影する撮影光学系１３０と、眼底Ｅrに固視標を投影する固視標投影光学系１５０とが設けられている。
【００２４】
照明光学系１００は、ハロゲンランプやキセノンランプ等の照明光源１０１と、コンデンサレンズ１０２と、リング開口１０３aを有するリング開口板１０３と、リレーレンズ１０４と、ミラー１０５と、リレーレンズ１０６と、孔開きミラー１０７と、対物レンズ１０８とを有している。
【００２５】
照明光学系１００は、眼底観察時や撮影時に光源１０１が点灯してコンデンサレンズ１０２を介してリング開口板１０３を照射する。リング開口板１０３のリング開口１０３aを通った光束は、リレーレンズ１０４,ミラー１０５,リレーレンズ１０６,孔開きミラー１０７および対物レンズ１０８を介して被検眼Ｅに入射する。リング開口板１０３と瞳孔とは共役位置にあるので、瞳孔上にリング開口像が形成され、このリング開口像により眼底が照明されることとなる。
【００２６】
撮影光学系１３０は、対物レンズ１０８と、絞り１３１と、変倍レンズ１３２と、合焦レンズ１３３と、撮影レンズ１３４と、反射ミラー１３５と、フィールドレンズ１３６と、反射ミラー１３７と、リレーレンズ１３８とを備えている。ＴＶカメラ６は撮像素子６ａを備えている。
【００２７】
視標投影光学系１５０は、図５に示すように、中心に配置された発光ダイオード１５１ａ、この発光ダイオード１５１ａの周囲に円周方向に配置された８個の発光ダイオード１５１ｂ〜１５１ｉと、図６に示すように各発光ダイオード１５１ａ〜１５１ｉに対向して設けられたピンホール１５２ａ〜１５２ｉを有するマスク板１５２と、反射ミラー１５３と、ハーフミラー１５４と、撮影レンズ１３４と、合焦レンズ１３３と、変倍レンズ１３２と、対物レンズ１０８等とから構成されている。
【００２８】
この発光ダイオード１５１ａ〜１５１ｉの光はピンホール１５２ａ〜１５２ｉ、反射ミラー１５３、ハーフミラー１５４、撮影レンズ１３４、合焦レンズ１３３、変倍レンズ１３２、対物レンズ１０８を介して眼底Ｅｒに固視標として投影されて眼底Ｅｒにピンホール像が結像される。このピンホール像により被検者はこの固視標を視認することによって被検眼の視軸が固定され、このピンホール１５２ａ〜１５２ｉのいずれを点灯させるかによって、撮影光学系１３０の光軸Ｌに対する被検者の固視方向が変更される。これにより、眼底Ｅｒの撮影すべき部位が変更される。
【００２９】
制御装置９は、ジョイステッィク１２の撮影スイッチ１５の操作や操作部２０の操作スイッチの操作に基づいて発光ダイオード１５１ａ〜１５１ｉの点灯やモータ４６,５６やＴＶカメラなどを制御するようになっている。１６０は撮影された眼底像を記憶するメモリである。
［動  作］
次に、上記のように構成される眼底カメラの動作について説明する。
【００３０】
光源１０１が点灯されると、コンデンサレンズ１０２を介してリング開口板１０３を照射し、リング開口板１０３のリング開口１０３aを通った光束がリレーレンズ１０４,ミラー１０５,リレーレンズ１０６,孔開きミラー１０７および対物レンズ１０８を介して被検眼Ｅに入射し、瞳孔Ｅａ上にリング開口像が形成され、このリング開口像により眼底Ｅrが照明される。
【００３１】
この眼底Ｅrの反射光束は撮影光学系１３０によりテレビカメラ６の撮像素子６ａに達し、この撮像素子６ａに眼底像を結像する。そして、モニタ８に眼底像ＥrＧが表示される。
【００３２】
この際、例えば外部固視標２０６を図７に示す位置へ移動させて、右眼Ｅ１で外部固視標２０６を固視させると、左眼Ｅの視線方向Ｊが右眼Ｅ１の視線方向Ｊ１と同様の方向へ誘導される。このため、影光学系１３０の光軸Ｌが眼底Ｅrの視軸上の部位Ｄ１から右へ離れた位置Ｓ１を通ることになる。そして、その位置Ｓ１を中心にした範囲の部位が観察される。
【００３３】
そして、操作部２０の操作スイッチを操作してモータ４６を駆動させると、スクリュー軸４４が回転して例えばアーム４５が右方向に移動されていく。このアーム４５の右方向への移動により、顎受台５２が図７に示す位置から垂直軸線ＰＪを中心にして移動台５０とともに時計回りに回動していく。
【００３４】
顎受台５２が例えば図８に示す位置へ移動したとき、モータ４６の駆動を停止させる。
【００３５】
顎受台５２が図８に示す位置へ移動されると、被検者の顔全体が外部固視標２０６のある位置へ向けられることになり、その外部固視標２０６は大変見易くなり、このため被検者に負荷を与えてしまうことがない。
【００３６】
また、影光学系１３０の光軸Ｌから視線方向Ｊが大きくずれても、すなわち、影光学系１３０の光軸Ｌと視線方向Ｊとのなす角度が大きくなっても、顎受台５２をその外部固視標２０６の方向へ回動させられることによって、その外部固視標２０６は大変見易くなり、しかも被検者に負荷を与えることなく、眼底Ｅrの中心位置である部位Ｓ１から大きく右側にずれた部位Ｄ１を観察・撮影することができることになる。
【００３７】
外部固視標２０６を撮影光軸Ｌに対して左に移動させた場合には、図７に示す顎受台５２を垂直軸線ＰＪを中心にして反時計回りに回動させれば、上記と同様な効果を得ることができる。
【００３８】
また、外部固視標２０６を撮影光軸Ｌに対して上下方向の位置へ移動させた場合には、顎受台５２を軸５４を中心にして図２に示す矢印Ｑ２方向に回動させれば、顎受台５２がその外部固視標２０６の方向へ回動移動され、外部固視標２０６は大変見易くなり、眼底Ｅrの中心位置である部位Ｓ１から上下に大きくずれた部位を観察・撮影することができる。
【００３９】
このように、顎受台５２を左右や上下に回動移動させればよいので、顎受台５２を回動移動させるモータ４６,５６のパワーは小さくて済み、大掛かりな装置は不要であり、簡単な構造で行うことができることになる。ちなみに、眼底カメラ本体１１を移動させると、眼底カメラ本体１１が大きく重いことにより、大掛かりな装置が必要となり、パワーの大きなモータも必要となる。
【００４０】
上記実施例では、顎受台５２を左右および上下方向に回動移動させるようになっているが、左右方向のどちらか一方または上下方向のどちらか一方に回動移動するようにしたものでもよい。
【００４１】
図９は第２実施例の眼底カメラ（眼科撮影装置）を示したものであり、この第２実施例の眼底カメラは、額受部５８の支柱５７,５７を基盤４１に設け、額受部５８を顎受台５２の回動移動とともに回動しないように固定したものである。また、外部固視標２０６用
の支持部材２００は支柱５７に固定されている。
【００４２】
また、上記実施例ではいずれも眼底カメラ本体１１はスイングやチルトしないが、眼底カメラ本体がスイングやチルトする眼底カメラに適用してもよい。この場合、スイングやチルトでも撮影することのできなかった眼底の周辺領域の部位を撮影することが可能となる。
【００４３】
上記実施例では、顎受台５２の回動移動をモータで行っているが、手動で行うようにしてもよい。この場合には、ロック手段を設けて顎受台５２を任意の回動位置に固定できるようにする。
【図面の簡単な説明】
【００４４】
【図１】この発明に係る眼底カメラの外観を示した斜視図である。
【図２】図１に示す眼底カメラの顎受装置を示した部分断面図である。
【図３】図２に示す顎受装置の基盤内を示した平面図である。
【図４】図１の眼底カメラの光学系を示した光学配置図である。
【図５】発光ダイオードの配置を示した説明図である。
【図６】マスク板を示した正面図である。
【図７】右に視線を向けさせたときの眼底の観察・撮影部位と顎受台との位置関係を示した説明図である。
【図８】顎受台を時計回りに回動移動させたときの視線方向と眼底の観察・撮影部位を示した説明図である。
【図９】第２実施例の眼底カメラを示した斜視図である。
【符号の説明】
【００４５】
１１          眼底カメラ本体
４１          基盤
５０          移動台
５２          顎受台
１００        照明光学系
１３０        撮影光学系
２０６        外部固視標
【図１】
2008246140.tif 000003
【図２】
2008246140.tif 000004
【図３】
2008246140.tif 000005
【図４】
2008246140.tif 000006
【図５】
2008246140.tif 000007
【図６】
2008246140.tif 000008
【図７】
2008246140.tif 000009
【図８】
2008246140.tif 000010
【図９】
2008246140.tif 000011